(57)【要約】      （修正有）【課題】有害ガスおよび特有の臭気を効率的に除去し、二次汚染の発生を解決するナノ光子浄化モジュールを提供する。【解決手段】一つのナノフォトニック浄化モジュールであり、外フレーム１を備える。この外フレーム１は、矩形フレームであり、中に複数の濾過メッシュとＵＶランプが配置されている。この濾過メッシュとＵＶランプは上から下に順番に並んで配置され、外フレーム１内部の下端には、ベース層ファン８が設けられている。また、内部には、３つの濾過メッシュが設置されており、上から下へ順番、第一層はナノハニカム金属メッシュ２、第二層は複合ナノハニカム金属メッシュ４、第３層はナノハニカム金属メッシュ６である。【選択図】図１
0003235641.tif 000002
【実用新案登録請求の範囲】
【請求項１】
一つのナノフォトニック浄化モジュールであり、外フレーム（１）を備えることが特徴となる。この外フレーム（１）は、矩形フレームであり、中に複数の濾過メッシュとＵＶランプが配置されています。この濾過メッシュとＵＶランプは上から下に順番に並んで配置されてます。外フレーム（１）  内部の下端には、ベース層ファン（８）が設けられている。
【請求項２】
請求項１に記載されるナノフォトニック浄化モジュールは、特徴として３つの濾過メッシュが設置されており、上から下へ順番、第一層はナノハニカム金属メッシュ（２）、第二層は複合ナノハニカム金属メッシュ（４）、第３層はナノハニカム金属メッシュ（６）である。
【請求項３】
請求項１に記載されるフォトニック浄化モジュールは、ＵＶランプが３組も配置されていることが特徴です。各グループには、２つのランプがあり、そしてＵＶランプは上から下に順に第一ＵＶランプ（３）、第二ＵＶランプ（５）、第三ＵＶランプ（７）となり、上記三つのＵＶランプの両端は固定板（９）を通してフィルターの底に固定されている。
【請求項４】
請求項１に記載されるナノフォトニック浄化モジュールは、三つの濾過メッシュが設置されてることが特徴である。その濾過メッシュは上から下へ順番に、第１層はセラミックメッシュネット（２）、第２層はセラミックメッシュ（４）、第３層はセラミックメッシュ（６）となる。
【請求項５】
請求項３に記載されるナノフォトン浄化モジュールの特徴は、第一ＵＶランプ（３）、第二ＵＶランプ（５）と第三ＵＶランプ（７）がすべて３６５バンドのＵＶランプであること。
【考案の詳細な説明】
【技術分野】
【０００１】
本実用新案は、ナノ光子浄化モジュールの技術分野に属しており、特にナノ光子浄化モジュールに関連してます。
【背景技術】
【０００２】
先行技術の中では、空気清浄機は主に、フィルター濾過、負イオン濾過、活性炭吸着、および紫外線ランプと四つの浄化方法がある。フィルター濾過は、空気中の粒子状物質の濾過効果に優れています。最小直径０．３μｍの粒子を濾過できますが、有毒ガスや臭気の直径は０．３μｍよりはるかに小さいです。
【０００３】
負イオン濾過は、高電圧放電の原理により微細な粉塵を捕捉し、フィルター濾過方法よりもっと効率的ですが、寿命が短く、消費電力が大きいので、安全上の問題が発生しやすい。そして、高圧放電中にオゾン、窒素酸化物が発生することによって、めまいや頭痛、呼吸困難を引き起こしやすい。活性炭吸着は空気清浄にあまり効果がなく、その特性は飽和しやすいので、一般的に異臭除去に用いられます。
【０００４】
現在、より環境に優しく効率的な空気清浄機は、主にデュアルスペクトル紫外線ランプを使用して紫外線を生成し、さまざまな希少金属酸化物に照射してＰＨＩ浄化因子を生成します。ＰＨＩ浄化因子は主にヒドロキシル基物質と酸素マイナスイオン、超酸素イオン、過酸化水素などの水素化物を含んでいます。ＰＨＩ浄化因子はすべての有機物と連鎖反応を起こし、最終的にＣＯ  ２と水を生成します。この技術は、光水イオン化技術（ＰＨＩ技術）と呼ばれる特許を申請しています。ただし、この製品は光触媒の反応に傾き、ＵＶ殺菌灯の効果には限界があります。
【０００５】
この効果によりイオンの数を増やすことができますが、イオンの数は理想的ではありません。また、オゾンに関しては、国際規格（ＧＢ２１５５１．３）に満たすことができません（ＲＧＦ国内および正式代理店ウェブサイトを参照、ＤＨ６００を除き、その他はオゾン検出なしこと）。また、効能が低く、エージング後にオゾンが基準を超えやすい（ＤＨ６００およびＰＨＩＣｅｌｌの全モデル）。
【考案の概要】
【考案が解決しようとする課題】
【０００６】
既存の空気浄化技術の主な欠点は、有害ガスや臭気が効率的に除去できない上に、被動式吸着方式を応用しています。これはただ一つの収集方式で、二次汚染が発生します。私たちに近い光触媒方案は、触媒効率が低いため、長期間にわたって浄化因子を放出することができず、過剰なオゾンを生成します。したがって、ナノフォトニック浄化モジュールを発明することが非常に必要です。
【課題を解決するための手段】
【０００７】
上記の技術的問題を解決するために、本実用新案は、一つのナノ光子浄化モジュールを提供します。この案は、既存の空気清浄機が有害ガスおよび特有の臭気を効率的に除去できない問題と、被動式吸着方式を応用し、ただ一つの収集方式で、二次汚染が発生します。
【０００８】
私たちに近い光触媒方案は、触媒効率が低いため、長期間にわたって浄化因子を放出することができず、過剰なオゾンを生成するなどの問題が解決できます。一つのナノ光子浄化用モジュールであり、外フレームを含まれます。この外フレームは、矩形フレームであり、中に複数の濾過メッシュとＵＶランプが配置されています。この濾過メッシュとＵＶランプは上から下に順番に並んで配置されてます。外フレーム内部の下端には、ベース層ファンが設けられている。
【０００９】
本実用新案のさらなる技術方案として、上から下へ順番に３つの濾過メッシュがあり、それらは、第１層のナノハニカム金属メッシュ、第２層の複合ナノハニカム金属メッシュ、および第３層のナノハニカム金属メッシュである。
【００１０】
本実用新案のさらなる技術方案として、ＵＶランプは、３組に分けて、各グループには２つを設置されてます。また、上から下へ順番に第一ＵＶランプ、第二ＵＶランプ及び第三ＵＶランプである。上記三つのＵＶランプの両端は固定板を通して濾過メッシュの底に固定されている。
【００１１】
本実用新案のさらなる技術方案として、３つの濾過メッシュが設置されてます。上から下へ順番に、第１層セラミックメッシュネット、第２層セラミックメッシュ、第３層セラミックメッシュとなる。
【００１２】
本実用新案のさらなる技術方案として、第一ＵＶランプ、第二ＵＶランプと第三ＵＶランプがすべて３６５バンドのＵＶランプである。
【００１３】
本実用新案は、使用時に、ベース層ファンから得た風力を利用して、空気を第１層のナノハニカム金属メッシュ、第２層の複合ナノハニカム金属メッシュ、及び第３層のナノハニカム金属メッシュを通過させ、３６５ウエーブのＵＶランプの照射下で光触媒反応を十分に行い、高濃度のヒドロキシルラジカルと生態系負イオンを発生させることで、元の空気中の有機物質を反応させて無毒の無機物を生成し、ホルムアルデヒド、ベンゼン、アンモニアなどを効果的に分解してＨ  ２  ＯとＣＯ  ２に転化し、大気中のアンモニア窒素化合物、硫化物及び各種の臭気を酸化して除去し、空気浄化の役割を果たすことができます。且つ、消耗品交換必要なし、耐久性がよいです。
【００１４】
本実用新案は、既存の空気清浄機の低効率の問題、消耗品交換の必要性、二次汚染発生、浄化因子の発生効率が低いこととオゾンが発生する様々な欠陥をよりよく解決しました。
【図面の簡単な説明】
【００１５】
【図１】本考案の一実施形態に係るナノフォトニック浄化モジュールを示す斜視図（１）である。
【図２】本考案の一実施形態に係るナノフォトニック浄化モジュールを示す斜視図（２）である。
【図３】本考案の一実施形態に係るナノフォトニック浄化モジュールを示す斜視図（３）である。
【考案を実施するための形態】
【００１６】
図１−３が示したように本実施例の中、一つのナノフォトニック浄化モジュールを提供します、外フレーム（１）が含まれてます。この外フレーム（１）は、矩形フレームであり、中に複数の濾過メッシュとＵＶランプが配置されています。この濾過メッシュとＵＶランプは上から下に順番に並んで配置されてます。外フレーム（１）  内部の下端には、ベース層ファン（８）が設けられている。本実施例の中、記載した濾過メッシュは３つも設置されており、上から下へ順番、第一層はナノハニカム金属メッシュ（２）、第二層は複合ナノハニカム金属メッシュ（４）、第３層はナノハニカム金属メッシュ（６）である。本実施例の中、記載したＵＶランプが３組も配置されている。各グループには、２つのランプがあり、そしてＵＶランプは上から下に順に第一ＵＶランプ（３）、第二ＵＶランプ（５）、第三ＵＶランプ（７）となり、上記三つのＵＶランプの両端は固定板（９）を通してフィルターの底に固定されている。本実施例の中、記載した濾過メッシュは三つも設置されている。上から下へ順番に、第１層はセラミックメッシュネット（２）、第２層はセラミックメッシュ（４）、第３層はセラミックメッシュ（６）となる。本実施例の中、記載した第一ＵＶランプ（３）、第二ＵＶランプ（５）と第三ＵＶランプ（７）がすべて３６５バンドのＵＶランプである。本実施例の中、第一層のナノハニカム金属メッシュ２は、アルミニウムを原料として押し出し成形されたハニカム穴型ブロック網であり、ナノスプレー技術によって表層に付着したＴｉＯ２酸化チタンで作製されたナノハニカム金属網である。
【００１７】
第二層の複合ナノハニカム金属メッシュ４は、アルミニウムを原料として押し出し成形されたハニカム穴型ブロック網であり、ナノスプレー技術によって表層に付着したＴｉＯ２酸化チタンで作製されたナノ金属網とともに、ニッケルを原料として作製した金属綿と組み合わせた複合ナノハニカム金属網である。
【００１８】
第三層ナノハニカム金属網６は、アルミニウムを原料として、押し出し成型されたハニカム穴型ブロック網であり、ナノスプレー技術によって表層に付着したＴｉＯ２酸化チタンで作製されたナノハニカム金属網である。
【００１９】
本実用新案は、使用時に、ベース層ファンから得た風力を利用して、空気を第１層のナノハニカム金属メッシュ２、第２層の複合ナノハニカム金属メッシュ４、及び第３層のナノハニカム金属メッシュ６を通過させ、３６５ウエーブのＵＶランプの照射下で光触媒反応を十分に行い、高濃度のヒドロキシルラジカルと生態系負イオンを発生させることで、元の空気中の有機物質を反応させて無毒の無機物を生成し、ホルムアルデヒド、ベンゼン、アンモニアなどを効果的に分解してＨ  ２  ＯとＣＯ  ２に転化し、大気中のアンモニア窒素化合物、硫化物及び各種の臭気を酸化して除去し、空気浄化の役割を果たすことができます。そして、消耗品を交換する必要もありませんので、長期間使用することができます。本実用新案は、既存の空気清浄機の低効率の問題、消耗品交換の必要性、二次汚染発生、浄化因子の発生効率が低いこととオゾンが発生する様々な欠陥をよりよく解決しました。
【００２０】
本実用新案に述べた技術方案を利用して、または当業者が本実用新案の技術方案の啓発をもとに、類似の技術案を設計し、上記の技術効果を達成したものは、いずれも本実用新案の保護範囲に入る。
【図１】
0003235641.tif 000003
【図２】
0003235641.tif 000004
【図３】
0003235641.tif 000005